(57)【要約】【課題】本体ユニットから離れた場所に操作ユニットを持ち運んで入力操作を行う際の利便性が高い浴室用リモートコントローラを得ること。【解決手段】浴室ＢＲ内に設けられ、給湯機の運転動作を制御する制御装置に運転動作に関する制御信号を送信する浴室用リモートコントローラ１３０を構成するにあたり、該浴室用リモートコントローラを２つのユニット、すなわち、給湯機の運転動作に関する指令を発信する操作ユニット１１０と、浴室に固定配置され、操作ユニットから発信された指令を受信して指令に対応する内容を表示すると共に、指令に応じた制御信号を制御装置に送信する本体ユニット１２０とに分け、本体ユニットに設けたホルダ部１２３に操作ユニットを着脱自在に保持させる。【選択図】        図２−１
2009250533.tif 000002
【特許請求の範囲】
【請求項１】
浴室内に設けられ、給湯機の運転動作を制御する制御装置に前記運転動作に関する制御信号を送信する浴室用リモートコントローラであって、
前記給湯機の運転動作に関する指令を発信する操作ユニットと、
前記浴室に固定配置され、前記操作ユニットから発信された指令を受信して該指令に対応する内容を表示すると共に、前記指令に応じた制御信号を前記制御装置に送信する本体ユニットと、
を備え、
前記本体ユニットは前記操作ユニットを保持するホルダ部を有し、前記操作ユニットは前記ホルダ部に着脱自在に保持されることを特徴とする浴室用リモートコントローラ。
【請求項２】
前記操作ユニットは、前記浴室の壁面に設けられた固定具に係合する係合部を有することを特徴とする請求項１に記載の浴室用リモートコントローラ。
【請求項３】
前記係合部は、穴であることを特徴とする請求項２に記載の浴室用リモートコントローラ。
【請求項４】
前記操作ユニットは、内部電源を更に有することを特徴とする請求項１〜３のいずれか１つに記載の浴室用リモートコントローラ。
【請求項５】
水を湯に沸き上げる熱源器と、該熱源器で沸き上げられた湯を浴室に供給する給湯管路と、該給湯管路に設けられた湯水混合弁と、該湯水混合弁に接続された給水管路とを備え、前記熱源器で沸き上げられた湯を前記浴室に供給する運転動作を制御装置により制御する給湯機において、
前記浴室に配置されて前記制御装置に制御信号を送信する請求項１〜４のいずれか１つに記載の浴室用リモートコントローラを有することを特徴とする給湯機。
【発明の詳細な説明】
【技術分野】
【０００１】
本発明は、給湯機の運転動作に関する制御信号を浴室内から発信する浴室用リモートコントローラ、および該浴室用リモートコントローラを有する給湯機に関する。
【背景技術】
【０００２】
今日では、例えば台所や居間や浴室の壁面などに設けられたリモートコントローラから、設定温度の変更や設定湯量の変更などの操作を行うことができる給湯機が開発されている。このような給湯機で使用されるリモートコントローラは、通常、所望箇所に常設されるが、その一部を移動可能にしたリモートコントローラもある。例えば特許文献１には、台所や居間や浴室の壁面などに常設されて電源に接続される充電器と、該充電器に対して着脱自在に設けられて映像の表示や制御対象機器（給湯機や空気調和機など）への入力操作を行うモニタユニットとを備え、充電器からモニタユニットを離脱させたときでも当該モニタユニットによるリモートコントロール操作を可能にしたリモートコントローラシステムが記載されている。
【０００３】
【特許文献１】特開２００４−３６０９４６号公報
【発明の開示】
【発明が解決しようとする課題】
【０００４】
特許文献１に記載されたリモートコントローラを用いて、常設箇所と離れた場所で入力操作を行う際には、操作部と表示部との併存により大型となったモニタユニットを持ち運ばなければならず、持ち運ぶ際の利便性が悪い。
【０００５】
本発明は上記の事情に鑑みてなされたものであり、常設箇所から離れた場所に持ち運んで入力操作を行う際の利便性が高い浴室用リモートコントローラ、および該リモートコントローラを有する給湯機を得ることを目的とする。
【課題を解決するための手段】
【０００６】
上記の目的を達成する本発明の浴室用リモートコントローラは、浴室内に設けられ、給湯機の運転動作を制御する制御装置に前記運転動作に関する制御信号を送信する浴室用リモートコントローラであって、給湯機の運転動作に関する指令を発信する操作ユニットと、浴室に固定配置され、操作ユニットから発信された指令を受信して指令に対応する内容を表示すると共に、指令に応じた制御信号を制御装置に送信する本体ユニットとを備え、本体ユニットは操作ユニットを保持するホルダ部を有し、操作ユニットはホルダ部に着脱自在に保持されることを特徴とする。
【０００７】
上記の目的を達成する本発明の給湯機は、水を湯に沸き上げる熱源器と、熱源器で沸き上げられた湯を浴室に供給する給湯管路と、給湯管路に設けられた湯水混合弁と、湯水混合弁に接続された給水管路とを備え、熱源器で沸き上げられた湯を浴室に供給する運転動作を制御装置により制御する給湯機において、浴室に配置されて制御装置に制御信号を送信する本発明の浴室用リモートコントローラを有することを特徴とする。
【発明の効果】
【０００８】
本発明の浴室用リモートコントローラでは、浴室に固定配置される本体ユニットに操作ユニットが着脱自在に配置されており、表示機能を有する本体ユニットから離れた場所に当該操作ユニットを持ち運んで入力操作を行うことができる。操作ユニットに表示機能を付与していないので、該操作ユニットを容易に小型化することができる。従って、本発明によれば、本体ユニットの常設箇所から離れた場所に操作ユニットを持ち運んで入力操作を行う際の利便性が高い浴室用リモートコントローラを得ることができる。
【０００９】
また、本発明の給湯機では、運転動作を制御する制御装置に本発明の浴室用リモートコントローラから運転動作に関する制御信号を送信できるため、浴室に湯を供給する際に、浴室に固定配置された本体ユニットから離れた場所に操作ユニットを持ち運んで入力操作を行うことができる。従って、本発明によれば、本体ユニットの常設箇所から離れた場所に操作ユニットを持ち運んで入力操作を行う際の利便性が高い浴室用リモートコントローラを備えた給湯機を得ることができる。
【発明を実施するための最良の形態】
【００１０】
以下、本発明の浴室用リモートコントローラおよび給湯機それぞれの実施の形態について、図面を参照して詳細に説明する。なお、本発明は下記の実施の形態に限定されるものではない。
【００１１】
図１は、本発明の給湯機の一例を示す概略図である。同図では、給湯機の一例として追焚き機能付き給湯機１４０を示している。追焚き機能付き給湯機１４０は、市水などの低温水を熱源器で湯に沸き上げて所望箇所に給湯する機能と、浴槽１５０で用いられた浴水１５０ａを追い焚きする機能とを有するものであり、ヒートポンプユニット１０、給湯ユニット１００、および浴室用リモートコントローラ１３０を備えている。以下、追焚き機能付き給湯機１４０の各構成要素について説明する。
【００１２】
上記のヒートポンプユニット１０は、水を湯に沸き上げる加熱源である。ヒートポンプユニット１０は、図示しない熱交換器を有しており、貯湯タンク２０の下部から沸上げ用循環管路４０に流入した水を熱交換器により湯に沸き上げて貯湯タンク２０に戻す。
【００１３】
一方、給湯ユニット１００は、貯湯タンク２０、給水管路３０、沸上げ用循環管路４０、熱源用循環管路５０、追焚き用循環管路６０、追焚き用熱交換器６５、給湯管路８０、圧力逃がし弁８５、制御装置９０、およびユニットケースＵＣを有している。
【００１４】
貯湯タンク２０は、給水管路３０から供給される水を貯留すると共にヒートポンプユニット１０で沸き上げられた湯を貯留するものであり、常に満水状態に保たれる。追焚き機能付き給湯機１４０の使用時には、貯湯タンク２０内に温度成層が形成される。
【００１５】
給水管路３０は市水などの低温水を貯湯タンク２０、給湯管路８０中の第１，第２湯水混合弁８１ａ，８１ｂ、第１給湯栓１６０、および第２給湯栓１６５に供給する管路であり、第１〜５給水管路部３０ａ〜３０ｅと水圧を所定値以下にする減圧弁２５とを含んでいる。第１給水管路部３０ａは水道などの水源（図示せず）と減圧弁２５とを繋ぎ、第２給水管路部３０ｂは減圧弁２５と貯湯タンク２０の下部とを繋ぎ、第３給水管路部３０ｃは減圧弁２５と第１，第２湯水混合弁８１ａ，８１ｂとを繋ぐ。また、第４給水管路部３０ｄは第１給水管路部３０ａから分岐して該第１給水管路部３０ａと第１給湯栓１６０とを繋ぎ、第５給水管路部３０ｅは第１給水管路部３０ａから分岐して該第１給水管路部３０ａと第２給湯栓１６５とを繋ぐ。
【００１６】
沸上げ用循環管路４０は、貯湯タンク２０の下部から水を取水して貯湯タンク２０の上部から該貯湯タンク２０に戻す管路であり、往き管４０ａ、戻り管４０ｂ、沸上げ用送水ポンプ３５、第１三方弁４１ａ、第２三方弁４１ｂ、バイパス配管４２を含んでいる。往き管４０ａは貯湯タンク２０の下部とヒートポンプユニット１０内の図示しない熱交換器とを繋ぎ、戻り管４０ｂは熱交換器と貯湯タンク２０の上部とを繋ぐ。往き管４０ａの途中経路には第１三方弁４１ａと、第１三方弁４１ａの下流側に接続された沸上げ用送水ポンプ３５とが設けられ、戻り管４０ｂの途中経路には、第２三方弁４１ｂが設けられ、第１三方弁４１ａと第２三方弁４１ｂとはバイパス配管４２により互いに接続されている。第１三方弁４１ａおよび第２三方弁４１ｂの各々は、制御装置９０により動作制御される電動式の三方弁である。
【００１７】
熱源用循環管路５０は、貯湯タンク２０の上部から湯を取水して貯湯タンク２０の下部から該貯湯タンク２０に戻す管路であり、往き管５０ａ、戻り管５０ｂ、および熱源用送水ポンプ４５を含んでいる。往き管５０ａは貯湯タンク２０の上部と追焚き用熱交換器６５の上部とを繋ぎ、戻り管５０ｂは追焚き用熱交換器６５の下部と貯湯タンク２０の下部とを繋ぐ。熱源用送水ポンプ４５は、戻り管５０ｂの途中経路に設けられている。
【００１８】
追焚き用循環管路６０は、浴槽１５０の側部から浴水１５０ａを取水して浴槽１５０の側部から該浴槽１５０に戻す管路であり、往き管６０ａ、戻り管６０ｂ、および追焚き用送水ポンプ５５を含んでいる。往き管６０ａは、浴槽１５０の側部と追焚き用熱交換器６５の下部にある浴槽側入口（図示せず）とを繋ぎ、戻り管６０ｂは、追焚き用熱交換器６５の上部にある浴槽側出口（図示せず）と浴槽１５０の側部とを繋ぐ。追焚き用送水ポンプ５５は往き管６０ａの途中経路に設けられている。
【００１９】
追焚き用熱交換器６５は、複数の伝熱プレートが当該追焚き用熱交換器６５での高さ方向に積層されたプレート式熱交換器であり、熱源用循環管路５０を流れる湯と追焚き用循環管路６０を流れる浴水１５０ａとの間で熱交換を行って浴水１５０ａを加温する。
【００２０】
給湯管路８０は、貯湯タンク２０に貯留された湯を浴槽１５０、第１給湯栓１６０、または第２給湯栓１６５に供給するものであり、第１〜３給湯管路部８０ａ〜８０ｃ、第１湯水混合弁８１ａ、および第２湯水混合弁８１ｂを含んでいる。
【００２１】
第１給湯管路部８０ａにおける貯湯タンク２０側の端部は熱源用循環管路５０の往き管５０ａと共用される第１共用管路部ＣＬになっており、当該第１給湯管路部８０ａでの下流側端部は２つの流路に分岐して一方が第１湯水混合弁８１ａに、他方が第２湯水混合弁８１ｂにそれぞれ接続されている。第１湯水混合弁８１ａおよび第２湯水混合弁８１ｂの各々は、電動式の混合弁である。
【００２２】
また、第２給湯管路部８０ｂは、第１湯水混合弁８１ａと追焚き用循環管路６０での戻り管６０ｂとを繋いでおり、追焚き用循環管路６０は給湯管路８０の一部となっている。第１給湯管路部８０ａ、第１湯水混合弁８１ａ、第２給湯管路部８０ｂ、および追焚き用循環管路６０により、貯湯タンク２０内の湯を浴槽１５０に給湯する浴槽用給湯管路ＢＬが構成されている。従って、浴槽用給湯管路ＢＬは追焚き用循環管路６０を含む。
【００２３】
給湯管路８０における第３給湯管路部８０ｃの上流端は第２湯水混合弁８１ｂに接続され、当該第３給湯管路部８０ｃでの下流側端部は２つの流路に分岐して一方が第１給湯栓１６０に、他方が第２給湯栓１６５にそれぞれ接続されている。なお、給水管路３０での第３給水管路部３０ｃの下流側端部は２つの管路に分岐して一方が上述の第１湯水混合弁８１ａに、他方が上述の第２湯水混合弁８１ｂにそれぞれ接続されている。圧力逃がし弁８５は、貯湯タンク２０の頂部に配管８３を介して接続されて、貯湯タンク２０の内圧過上昇を防ぐ。
【００２４】
制御装置９０は、浴室ＢＲに設けられた浴室用リモートコントローラ１３０からユーザにより入力された沸上げ開始時刻、沸上げ温度、給湯温度などを指定する情報や、追焚き運転開始、給湯温度変更など追焚き機能付き給湯機１４０の運転動作に関する指令に基づいてヒートポンプユニット１０、沸上げ用送水ポンプ３５、第１三方弁４１ａ、第２三方弁４１ｂ、熱源用送水ポンプ４５、追焚き用送水ポンプ５５、第１湯水混合弁８１ａ、または第２湯水混合弁８１ｂの動作を制御する。
【００２５】
給湯ユニット１００を構成する上述の給水管路３０、沸上げ用循環管路４０、追焚き用循環管路６０、給湯管路８０、および浴室用リモートコントローラ１３０を除いた残りの構成部材は、ユニットケースＵＣに納められている。給水管路３０、沸上げ用循環管路４０、追焚き用循環管路６０、および給湯管路８０の各々は、その一部がユニットケースＵＣの外部にまで延在している。
【００２６】
上述の構成を有する追焚き機能付き給湯機１４０は、前述のように浴室用リモートコントローラ１３０からユーザにより入力された沸上げ開始時刻、沸上げ温度、給湯温度などの情報や追焚き運転開始、給湯温度変更などの指令に基づいて動作する。
【００２７】
例えば、沸上げ開始時刻になると、制御装置９０による制御の下にヒートポンプユニット１０および沸上げ用送水ポンプ３５が起動されて沸上げ運転が開始され、所定量、所定温度の湯が貯湯タンク２０に貯留されるまで継続される。この間、貯湯タンク２０内の低温水が沸上げ用循環管路４０（図１参照）に流入し、ヒートポンプユニット１０で湯に沸き上げられた後に貯湯タンク２０の上部から該貯湯タンク２０に戻される。
【００２８】
また、追焚き運転開始の指令が浴室用コントローラ１３０から入力されると、制御装置９０による制御の下に熱源用送水ポンプ４５および追焚き用送水ポンプ５５が起動され、貯湯タンク２０内の湯が熱源用循環管路５０を流れる一方で浴水１５０ａが追焚き用循環管路６０を流れ、追焚き用熱交換器６５で熱交換が行われて浴水１５０ａが追焚きされる。第１給湯栓１６０、第２給湯栓１６５からの給湯温度は、浴室用コントローラ１３０から予め入力されて当該給湯温度を指定する情報、または浴室用コントローラ１３０から入力された給湯温度変更指令に応じて制御装置９０が第２湯水混合弁８１ｂの弁開度を変更することにより制御される。
【００２９】
このように動作する追焚き機能付き給湯機１４０は、浴室用リモートコントローラ１３０に特徴を有しているので、以下、当該浴室用リモートコントローラ１３０について図２−１および図２−２を参照して詳述する。
【００３０】
図２−１は、図１に示した追焚き機能付き給湯機での浴室用リモートコントローラを概略的に示す斜視図であり、図２−２は、図２−１に示した浴室用リモートコントローラを構成している操作ユニットをその裏面側から概略的に示す斜視図である。図２−１に示す浴室用リモートコントローラ１３０は、操作ユニット１１０と、本体ユニット１２０とを含み構成される。
【００３１】
上記の操作ユニット１１０は、追焚き運転開始、給湯温度変更など、追焚き機能付き給湯機１４０（図１参照）の運転動作に関する指令をユーザが入力するユニットであると共に、上記の指令が入力されたときに該指令に応じた信号を発信するユニットであり、本体ユニット１２０に着脱自在に配置されて該本体ユニット１２０に無線接続される。この操作ユニット１１０は直方体状を呈し、その操作ユニットのおもて面１１０ｆ側には、ユーザが上記の指令を入力する際に用いる複数の操作ボタンを備えた第１操作部１１１が配置されている。
【００３２】
図２−１または図２−２に示すように、操作ユニットの上面１１０ｕおよび操作ユニットの下面１１０ｄには、当該操作ユニット１１０を本体ユニット１２０に装着したときの脱落を防止する第１係合部ＥＰ1、例えば鉤がそれぞれ２つずつ設けられている。なお、図２−１および図２−２においては、便宜上、各第１係合部ＥＰ1を太い実線、または破線の矩形で表している。
【００３３】
また、図２−２に示すように、操作ユニットの裏面１１０ｒには、本体ユニット１２０に指令を発信する発信部１１２の一部が露出していると共に、浴室の壁面ＷＳ（図２−１参照）に設けられたフックなどの固定具（図示せず）に係合されて、操作ユニット１１０を本体ユニット１２０から浴室の壁面ＷＳに移設することを可能にする２つの第２係合部ＥＰ2、具体的には円柱状に凹んだ２つの壁面固定用穴が設けられている。
【００３４】
一方、本体ユニット１２０（図２−１参照）は、操作ユニット１１０から発信された指令を受信し、該指令に対応する内容を表示すると共に指令に応じた制御信号を追焚き機能付き給湯機１４０の制御装置９０（図１参照）に送信するユニットであり、浴室の壁面ＷＳに固定配置されている。この本体ユニットのおもて面１２０ｆ側には、操作ユニット１１０から受信した指令の内容を表示する表示部１２１と、沸上げ開始時刻、沸上げ温度、給湯温度を指定する情報や、追焚き運転開始、給湯温度変更など追焚き機能付き給湯機１４０の運転動作に関する指令をユーザが入力する際に用いる複数の操作ボタンを備えた第２操作部１２２とが配置されている。また、本体ユニット１２０には、操作ユニット１１０を着脱自在に保持するホルダ部１２３も設けられている。
【００３５】
上記のホルダ部１２３は、本体ユニット１２０の厚さ方向に窪んだ直方体状の凹部であり、５つの壁面により画定されている。このホルダ部１２３は、操作ユニット１１０のおもて面１１０ｆを外側にして該操作ユニット１１０を収容し得る大きさの内形寸法を有している。
【００３６】
ホルダ部１２３を画定する上記５つの壁面のうちで操作ユニットの上面１１０ｕに対応する壁面１２３ｕ、および操作ユニットの下面１１０ｄに対応する壁面１２３ｄには、それぞれ、操作ユニット１１０を保持する際に第１係合部ＥＰ1に係合する係合部ＣＰ、例えば第１係合部ＥＰ1が鉤であるときには該鉤が挿入される受け金が２つずつ設けられている。
【００３７】
また、ホルダ部１２３を画定する上記５つの壁面のうちで操作ユニットの裏面１１０ｒに対応する壁面１２３ｒには、操作ユニット１１０が発信した指令を受信し、該指令に応じた制御信号を追焚き機能付き給湯機１４０の制御装置９０に送信する送受信部１２４の一部が露出している。ホルダ部１２３により操作ユニット１１０を保持したとき、壁面１２３ｒでの送受信部１２４の露出箇所と、操作ユニットの裏面１１０ｒでの発信部１１２の露出箇所とは、互いに対向する。
【００３８】
なお、操作ユニット１１０は、水に濡れた際に、第１操作部１１１からの入力操作や本体ユニット１２０への無線信号の発信などの動作に影響がないようにするために防水構造となっている。同様に、本体ユニット１２０も、水に濡れた際に、第２操作部１２２からの入力操作や制御装置９０への通信信号の発信などの動作に影響がないようにするために防水構造となっている。
【００３９】
このように構成された浴室用リモートコントローラ１３０では、本体ユニット１２０は浴室の壁面ＷＳに固定配置されるものの、操作ユニット１１０は本体ユニット１２０のホルダ部１２３に着脱自在に保持され、かつ操作ユニット１１０が指令入力用の専用ユニットであることから、該操作ユニット１１０を容易に小型化することができる。従って、例えば特許文献１に記載されたリモートコントローラに比べ、本体ユニット１２０の常設箇所から離れた場所に操作ユニット１１０を持ち運んで入力操作を行う際の利便性が高い。
【００４０】
例えば、浴室ＢＲ（図１参照）での所望箇所に所定の固定具、すなわち操作ユニット１１０の第２係合部ＥＰ2に係合する固定具を予め取り付けておけば、操作ユニット１１０を自由に移設することが可能になる。給湯栓１６０（図１参照）側の壁面に上記の固定具を取り付けておけば、給湯栓１６０を使用するときにユーザが操作ユニット１１０を上記の壁面に移設することができ、給湯栓１６０を使用している最中であっても体勢をそれ程変えることなく給湯温度を変更する指令を操作ユニット１１０から入力して、所望温度の湯を給湯栓１６０から出湯させることができる。浴室ＢＲ（図１参照）での本体ユニット１２０の固定配置箇所（常設箇所）がどこであるかに拘わらず、所望箇所から操作ユニット１１０により所望の指令を制御装置９０（図１参照）に出すことができる。
【００４１】
操作ユニット１１０の第１操作部１１１（図２参照）から入力することができる指令は、本体ユニット１２０の第２操作部１２２から入力することができる指令と重複していても良いし、第２操作部１２２から入力することができる指令との重複を排除して必要最小限に抑えたものであってもよい。
【００４２】
上述した技術的効果を奏する浴室用リモートコントローラ１３０での送受信に係る具体的構成は特に限定されるものではなく、種々の構成をとることができる。以下、図２−１で用いた参照符号を適宜引用しつつ図３を参照して、浴室用リモートコントローラでの送受信に係る構成を具体的に説明する。
【００４３】
図３は、本発明の浴室用リモートコントローラでの送受信に係る構成の一例を示すブロック図である。同図に示す操作ユニット１１０は第１操作部１１１、発信部１１２、第１制御部１１３、および内部電源１１４を有し、第１制御部１１３は、第１操作部１１１と、発信部１１２と、内部電源１１４とに接続されている。内部電源１１４は、発信部１１２にも接続されている。一方、本体ユニット１２０は表示部１２１、第２操作部１２２、送受信部１２４、および第２制御部１２５を有し、第２制御部１２５は、表示部１２１と、第２操作部１２２と、送受信部１２４とに接続されている。
【００４４】
操作ユニット１１０では、ユーザにより第１操作部１１１が操作されると、当該操作内容に対応した電気信号が第１制御部１１３に送られる。第１制御部１１３は、第１操作部１１１から電気信号を受けると、該電気信号を解析処理して、必要に応じて所定の電気信号を発信部１１２に送る。上記の解析処理では、第１操作部１１１から送られてきた電気信号が誤操作によるものなのか正規の操作、すなわち指令の入力によるものなのかが判断される。この解析処理の結果、誤操作によるものであると判断された場合には当該電気信号が削除され、正規の操作によるものであると判断された場合には、第１操作部１１１から入力された指令に対応した無線信号の発信を指示する発信指示信号が発信部１１２に送られる。発信部１１２は、第１制御部１１３から発信指示信号を受けると、所定の無線信号を作成して発信する。
【００４５】
本体ユニット１２０では、上記無線信号を送受信部１２４が受信すると、該無線信号に対応した電気信号が送受信部１２４で作成されて第２制御部１２５に送られる。第２制御部１２５は、送受信部１２４から電気信号を受けると、該電気信号を解析処理して、該電気信号に対応した制御信号の送信を指示する送信指示信号を送受信部１２４に送ると共に、該電気信号に対応した画像の表示を指示する表示指示信号を表示部１２１に送る。また、第２制御部１２５は、ユーザにより第２操作部１２２から追焚き機能付き給湯機１４０（図１参照）の運転動作に関する情報ないし指令が入力されて、該情報ないし指令に対応した電気信号が送られてきたときにも、該電気信号を解析処理して、該電気信号に対応した制御信号の送信を指示する送信指示信号を送受信部１２４に送ると共に、該電気信号に対応した画像の表示を指示する表示指示信号を表示部１２１に送る。なお、第２制御部１２５は、第２操作部１２２から送られてきた電気信号を解析処理したときに該電気信号が誤操作によるものであると判断された場合には、当該電気信号を削除する。
【００４６】
表示部１２１は液晶ディスプレイなどを備えて構成され、第２制御部１２５からの表示指示信号に応じて、例えば沸上げ開始時刻、沸上げ温度、給湯温度を指定する情報や、追焚き運転開始指令、給湯温度変更指令など、前述の無線信号や第２操作部１２２から入力された情報ないし指令に対応した文字、キャラクタ、シンボルなどの画像を表示する。また、第２制御部１２５から送信指示信号を受けた送受信部１２４は、前述の無線信号に対応した制御信号を作成して、追焚き機能付き給湯機１４０の制御装置９０に送信する。
【００４７】
以上、本発明の浴室用リモートコントローラおよび給湯機について実施の形態を挙げて説明したが、前述のように、本発明は上述の形態に限定されるものではない。例えば、実施の形態では、本発明の浴室用リモートコントローラを備えた給湯機として追焚き機能付き給湯機を挙げているが、本発明の給湯機は本発明の浴室用リモートコントローラから制御信号を受けて運転動作を行うものであればよく、その構成は適宜変更可能である。例えば追焚き機能は付与されていなくてもよい。
【００４８】
また、本体ユニット１２０内には第２操作部１２２が設けられているが、第２操作部１２２を設けずに、追焚き機能付き給湯機１４０（図１参照）の運転動作に関する情報や指令の入力操作を第１操作部１１１に集約させてもよい。
【００４９】
操作ユニット１１０に設ける第１係合部ＥＰ1と本体ユニット１２０に設ける係合部ＣＰ（図２−１参照）との具体的な組み合わせは、本体ユニット１２０に操作ユニット１１０を装着した際に操作ユニット１１０の脱落を防止することできるものであればよく、実施の形態で説明した鉤と受け金との組み合わせ以外にも種々の組み合わせを適宜選定することができる。例えば第１係合部ＥＰ1としてマグネットを使用し、係合部ＣＰとして磁性の金属または合金を使用することもできる。
【００５０】
同様に、操作ユニット１１０に設ける第２係合部ＥＰ2の構造は、操作ユニット１１０を浴室ＢＲ（図１参照）内の所望箇所に移設可能にするものであればよく、適宜選定可能である。例えば浴室ＢＲの壁面に固定具として面ファスナーを設ける場合には、該面ファスナーに係合する面ファスナーを第２係合部ＥＰ2として使用することができる。また、浴室ＢＲの壁面に固定具として棒状凸部を設ける場合には、操作ユニット１１０の上面１１０ｕでの２点間にチェーンや紐を架け渡して第２係合部ＥＰ2とすることもできる。固定具を設けずに浴室の所望箇所に操作ユニット１１０を直接固定することができるように、操作ユニットの裏面１１０ｒまたは操作ユニットの下面１１０ｄに第２係合部ＥＰ2として吸盤を設けてもよい。なお、第２係合部ＥＰ2は省略することも可能である。
【００５１】
操作ユニット１１０の内部電源１１４（図３参照）の電力残量をユーザが容易に確認することができるように、ＬＥＤ（発光ダイオード）などを用いて構成されて内部電源１１４の電力残量を示すインジケータ部を操作ユニットのおもて面１１０ｆまたは操作ユニットの上面１１０ｕに設けてもよい。本発明の浴室用リモートコントローラおよび給湯機については、上述した以外にも種々の変形、修飾、組合せ等が可能である。
【産業上の利用可能性】
【００５２】
本発明の給湯機および浴室用リモートコントローラの各々は、家庭用または業務用の給湯機およびその浴室用リモートコントローラとして好適である。
【図面の簡単な説明】
【００５３】
【図１】本発明の給湯機の一例を示す概略図である。
【図２−１】図１に示した追焚き機能付き給湯機での浴室用リモートコントローラを概略的に示す斜視図である。
【図２−２】図２−１に示した浴室用リモートコントローラを構成している操作ユニットをその裏面側から概略的に示す斜視図である。
【図３】本発明の浴室用リモートコントローラでの送受信に係る構成の一例を示すブロック図である。
【符号の説明】
【００５４】
１０  ヒートポンプユニット
２０  貯湯タンク
３０  給水管路
４０  沸上げ用循環管路
５０  熱源用循環管路
６０  追焚き用循環管路
６５  追焚き用熱交換器
８０  給湯管路
９０  制御装置
１００  給湯ユニット
１１０  操作ユニット
１１０ｆ  操作ユニットのおもて面
１１０ｕ  操作ユニットの上面
１１０ｄ  操作ユニットの下面
１１０ｒ  操作ユニットの裏面
１１１  第１操作部
１１２  発信部
１１３  第１制御部
１１４  内部電源
１２０  本体ユニット
１２０ｆ  本体ユニットのおもて面
１２１  表示部
１２２  第２操作部
１２３  ホルダ部
１２４  送受信部
１２５  第２制御部
１３０  浴室用リモートコントローラ
１４０  追焚き機能付き給湯機
１５０  浴槽
１６０  第１給湯栓
１６５  第２給湯栓
ＢＲ  浴室
ＥＰ1  第１係合部
ＥＰ2  第２係合部
ＣＰ  係合部
ＷＳ  浴室の壁面
【図１】
2009250533.tif 000003
【図２−１】
2009250533.tif 000004
【図２−２】
2009250533.tif 000005
【図３】
2009250533.tif 000006